(57)【特許請求の範囲】
【請求項１】
用紙の両面に形成される画像の位置又は倍率を調整する表裏調整を行う画像形成装置であって、
用紙に画像を形成する画像形成手段と、
用紙上に形成された調整用パターンを読み取る画像読み取り手段と、
前記画像形成手段に用紙の両面に調整用パターンを形成させ、前記画像読み取り手段により用紙の第１面側から当該第１面に形成された調整用パターン、及び、裏写りする第２面に形成された調整用パターンを同時に読み取って得られた読み取りデータに基づいて、前記表裏調整を行う第１の表裏調整手段と、
前記画像形成手段に２枚の用紙のうち少なくとも１枚目の用紙の第１面及び２枚目の用紙の第２面に調整用パターンを形成させ、前記画像読み取り手段により前記１枚目の用紙の第１面側から当該第１面に形成された調整用パターンを読み取って得られた読み取りデータ、及び、前記画像読み取り手段により前記２枚目の用紙の第２面側から当該第２面に形成された調整用パターンを読み取って得られた読み取りデータに基づいて、前記表裏調整を行う第２の表裏調整手段と、
前記表裏調整の対象となる用紙の種類、又は、前記画像読み取り手段により用紙を読み取った時の状態に応じて、前記第１の表裏調整手段と前記第２の表裏調整手段とを切り替える制御手段と、
を備える画像形成装置。
【請求項２】
前記制御手段は、前記表裏調整の対象となる用紙の坪量が予め定められた閾値以上である場合に、前記第２の表裏調整手段に切り替える請求項１に記載の画像形成装置。
【請求項３】
前記制御手段は、前記表裏調整の対象となる用紙が予め指定された用紙である場合に、前記第２の表裏調整手段に切り替える請求項１又は２に記載の画像形成装置。
【請求項４】
前記制御手段は、前記画像読み取り手段により用紙の第１面側から裏写りする第２面に形成された調整用パターンを読み取ることができなかった場合に、前記第２の表裏調整手段に切り替える請求項１に記載の画像形成装置。
【請求項５】
前記第２の表裏調整手段は、前記画像形成手段による前記２枚目の用紙の第１面に対する調整用パターンの形成を省略させる請求項１から４のいずれか一項に記載の画像形成装置。
【請求項６】
前記第２の表裏調整手段は、前記１枚目の用紙及び前記２枚目の用紙について、前記第１の表裏調整手段における用紙と同じ条件で搬送経路を搬送させる請求項１から５のいずれか一項に記載の画像形成装置。
【請求項７】
前記第２の表裏調整手段において、前記画像読み取り手段により前記２枚目の用紙の第２面に形成された調整用パターンを読み取る際の用紙搬送方向における画像の向きは、前記画像読み取り手段により前記１枚目の用紙の第１面に形成された調整用パターンを読み取る際の用紙搬送方向における画像の向きと反対であり、
前記第２の表裏調整手段は、前記１枚目の用紙の第１面及び前記２枚目の用紙の第２面の画像の向きを考慮して前記表裏調整を行う請求項１から６のいずれか一項に記載の画像形成装置。
【請求項８】
前記第２の表裏調整手段は、前記表裏調整を行う際に、前記画像形成手段に用紙に実画像を形成させる場合には、前記２枚目の用紙の第１面及び第２面に形成される実画像の順序を変更する請求項１から７のいずれか一項に記載の画像形成装置。
【請求項９】
用紙に画像を形成する画像形成手段と、用紙上に形成された調整用パターンを読み取る画像読み取り手段と、を備え、用紙の両面に形成される画像の位置又は倍率を調整する表裏調整を行う画像形成装置における画像調整方法であって、
前記表裏調整の対象となる用紙の種類、又は、前記画像読み取り手段により用紙を読み取った時の状態に応じて、
前記画像形成手段に用紙の両面に調整用パターンを形成させ、前記画像読み取り手段により用紙の第１面側から当該第１面に形成された調整用パターン、及び、裏写りする第２面に形成された調整用パターンを同時に読み取って得られた読み取りデータに基づいて、前記表裏調整を行う第１の表裏調整処理と、
前記画像形成手段に２枚の用紙のうち少なくとも１枚目の用紙の第１面及び２枚目の用紙の第２面に調整用パターンを形成させ、前記画像読み取り手段により前記１枚目の用紙の第１面側から当該第１面に形成された調整用パターンを読み取って得られた読み取りデータ、及び、前記画像読み取り手段により前記２枚目の用紙の第２面側から当該第２面に形成された調整用パターンを読み取って得られた読み取りデータに基づいて、前記表裏調整を行う第２の表裏調整処理と、
を切り替える工程を含む画像調整方法。
【請求項１０】
用紙に画像を形成する画像形成手段と、用紙上に形成された調整用パターンを読み取る画像読み取り手段と、を備え、用紙の両面に形成される画像の位置又は倍率を調整する表裏調整を行う画像形成装置のコンピューターを、
前記画像形成手段に用紙の両面に調整用パターンを形成させ、前記画像読み取り手段により用紙の第１面側から当該第１面に形成された調整用パターン、及び、裏写りする第２面に形成された調整用パターンを同時に読み取って得られた読み取りデータに基づいて、前記表裏調整を行う第１の表裏調整手段、
前記画像形成手段に２枚の用紙のうち少なくとも１枚目の用紙の第１面及び２枚目の用紙の第２面に調整用パターンを形成させ、前記画像読み取り手段により前記１枚目の用紙の第１面側から当該第１面に形成された調整用パターンを読み取って得られた読み取りデータ、及び、前記画像読み取り手段により前記２枚目の用紙の第２面側から当該第２面に形成された調整用パターンを読み取って得られた読み取りデータに基づいて、前記表裏調整を行う第２の表裏調整手段、
前記表裏調整の対象となる用紙の種類、又は、前記画像読み取り手段により用紙を読み取った時の状態に応じて、前記第１の表裏調整手段と前記第２の表裏調整手段とを切り替える制御手段、
として機能させるためのプログラム。
【発明の詳細な説明】
【技術分野】
【０００１】
本発明は、画像形成装置、画像調整方法及びプログラムに関する。
【背景技術】
【０００２】
複写機、プリンター等の画像形成装置では、用紙の両面に画像を形成する際、定着による用紙の収縮や、用紙を反転させ再度画像形成部に供給するための両面搬送経路の通過による用紙の位置ずれ等が原因で、表面と裏面で画像の位置や倍率がずれることがある。
【０００３】
このような表面と裏面との画像のずれを解消するため、「表裏調整」が行われている。「表裏調整」では、用紙の表面及び裏面の所定位置に調整用パターンを形成し、表面及び裏面のそれぞれに形成された調整用パターンのずれ量を検出し、表裏のずれを解消するように画像の位置や倍率を調整する。ずれ量の検出には、定規で測定する方法や（手動）、スキャナーで測定する方法（自動）が用いられる。
【０００４】
また、用紙の表面側から表面の調整用パターンを読み取る際に、裏写りした裏面の調整用パターンも同時に読み取り、表裏調整を行う技術も開発されている。この場合、両面の調整用パターンを同時に読み取るため、用紙は画像読み取り部（センサー）の設置箇所を一度通過するだけでよく、表裏調整を短時間で行うことができる。
【０００５】
裏写りを利用して表裏調整を行う画像形成装置として、例えば、記録シートの表裏に形成されたマークを一方の面から透かして読み取るために、スキャン光量を調整するものが提案されている（特許文献１参照）。特許文献１には、さらに、裏面側のマークを検出できない場合に別の記録シートのセットを促す表示を行うこと、複数の給紙トレイの中から坪量が一番小さい記録シートを選択して給紙すること、記録シートの坪量が所定値を超える場合に別の記録シートのセットを促す表示を行うことも開示されている。
【先行技術文献】
【特許文献】
【０００６】
【特許文献１】特開２００８−２７５９９１号公報
【発明の概要】
【発明が解決しようとする課題】
【０００７】
しかしながら、スキャン光量を調整して裏写りを可能とする場合には、スキャン光量を変える光量調整手段が必要となり、コストがかかるうえ、光量調整を行うための時間がかかるという問題があった。また、厚紙等、スキャン光量を上げても裏写りしない用紙も存在する。
【０００８】
また、表裏の画像ずれは用紙によって変わるので、実際に使用する用紙で表裏調整を行うべきであるが、裏写りしない場合に別の用紙を選択する方法では、実際に使用する用紙での表裏の画像ずれを検出することができない。特に、ＰＰ（プロダクションプリント）機では、高精度の表裏の画像位置の一致が求められるので、用紙毎の表裏調整が必要である。
【０００９】
また、裏写りしない場合にスキャン光量や用紙を変更する方法では、条件を変える度に、調整用パターンの形成や読み取りを実施するので、表裏調整に時間がかかる。
【００１０】
また、既にセットされている用紙で表裏調整を行うことができない場合には、ユーザーが坪量の小さい用紙に入れ替える作業が発生するので、利便性が悪かった。
【００１１】
本発明は、上記の従来技術における問題に鑑みてなされたものであって、実際に使用する用紙を用いて表裏の画像を調整する際に、調整時間の短縮を図ることを課題とする。
【課題を解決するための手段】
【００１２】
上記課題を解決するために、請求項１に記載の発明は、用紙の両面に形成される画像の位置又は倍率を調整する表裏調整を行う画像形成装置であって、用紙に画像を形成する画像形成手段と、用紙上に形成された調整用パターンを読み取る画像読み取り手段と、前記画像形成手段に用紙の両面に調整用パターンを形成させ、前記画像読み取り手段により用紙の第１面側から当該第１面に形成された調整用パターン、及び、裏写りする第２面に形成された調整用パターンを同時に読み取って得られた読み取りデータに基づいて、前記表裏調整を行う第１の表裏調整手段と、前記画像形成手段に２枚の用紙のうち少なくとも１枚目の用紙の第１面及び２枚目の用紙の第２面に調整用パターンを形成させ、前記画像読み取り手段により前記１枚目の用紙の第１面側から当該第１面に形成された調整用パターンを読み取って得られた読み取りデータ、及び、前記画像読み取り手段により前記２枚目の用紙の第２面側から当該第２面に形成された調整用パターンを読み取って得られた読み取りデータに基づいて、前記表裏調整を行う第２の表裏調整手段と、前記表裏調整の対象となる用紙の種類、又は、前記画像読み取り手段により用紙を読み取った時の状態に応じて、前記第１の表裏調整手段と前記第２の表裏調整手段とを切り替える制御手段と、を備える。
【００１３】
請求項２に記載の発明は、請求項１に記載の画像形成装置において、前記制御手段は、前記表裏調整の対象となる用紙の坪量が予め定められた閾値以上である場合に、前記第２の表裏調整手段に切り替える。
【００１４】
請求項３に記載の発明は、請求項１又は２に記載の画像形成装置において、前記制御手段は、前記表裏調整の対象となる用紙が予め指定された用紙である場合に、前記第２の表裏調整手段に切り替える。
【００１５】
請求項４に記載の発明は、請求項１に記載の画像形成装置において、前記制御手段は、前記画像読み取り手段により用紙の第１面側から裏写りする第２面に形成された調整用パターンを読み取ることができなかった場合に、前記第２の表裏調整手段に切り替える。
【００１６】
請求項５に記載の発明は、請求項１から４のいずれか一項に記載の画像形成装置において、前記第２の表裏調整手段は、前記画像形成手段による前記２枚目の用紙の第１面に対する調整用パターンの形成を省略させる。
【００１７】
請求項６に記載の発明は、請求項１から５のいずれか一項に記載の画像形成装置において、前記第２の表裏調整手段は、前記１枚目の用紙及び前記２枚目の用紙について、前記第１の表裏調整手段における用紙と同じ条件で搬送経路を搬送させる。
【００１８】
請求項７に記載の発明は、請求項１から６のいずれか一項に記載の画像形成装置において、前記第２の表裏調整手段において、前記画像読み取り手段により前記２枚目の用紙の第２面に形成された調整用パターンを読み取る際の用紙搬送方向における画像の向きは、前記画像読み取り手段により前記１枚目の用紙の第１面に形成された調整用パターンを読み取る際の用紙搬送方向における画像の向きと反対であり、前記第２の表裏調整手段は、前記１枚目の用紙の第１面及び前記２枚目の用紙の第２面の画像の向きを考慮して前記表裏調整を行う。
【００１９】
請求項８に記載の発明は、請求項１から７のいずれか一項に記載の画像形成装置において、前記第２の表裏調整手段は、前記表裏調整を行う際に、前記画像形成手段に用紙に実画像を形成させる場合には、前記２枚目の用紙の第１面及び第２面に形成される実画像の順序を変更する。
【００２０】
請求項９に記載の発明は、用紙に画像を形成する画像形成手段と、用紙上に形成された調整用パターンを読み取る画像読み取り手段と、を備え、用紙の両面に形成される画像の位置又は倍率を調整する表裏調整を行う画像形成装置における画像調整方法であって、前記表裏調整の対象となる用紙の種類、又は、前記画像読み取り手段により用紙を読み取った時の状態に応じて、前記画像形成手段に用紙の両面に調整用パターンを形成させ、前記画像読み取り手段により用紙の第１面側から当該第１面に形成された調整用パターン、及び、裏写りする第２面に形成された調整用パターンを同時に読み取って得られた読み取りデータに基づいて、前記表裏調整を行う第１の表裏調整処理と、前記画像形成手段に２枚の用紙のうち少なくとも１枚目の用紙の第１面及び２枚目の用紙の第２面に調整用パターンを形成させ、前記画像読み取り手段により前記１枚目の用紙の第１面側から当該第１面に形成された調整用パターンを読み取って得られた読み取りデータ、及び、前記画像読み取り手段により前記２枚目の用紙の第２面側から当該第２面に形成された調整用パターンを読み取って得られた読み取りデータに基づいて、前記表裏調整を行う第２の表裏調整処理と、を切り替える工程を含む。
【００２１】
請求項１０に記載の発明は、用紙に画像を形成する画像形成手段と、用紙上に形成された調整用パターンを読み取る画像読み取り手段と、を備え、用紙の両面に形成される画像の位置又は倍率を調整する表裏調整を行う画像形成装置のコンピューターを、前記画像形成手段に用紙の両面に調整用パターンを形成させ、前記画像読み取り手段により用紙の第１面側から当該第１面に形成された調整用パターン、及び、裏写りする第２面に形成された調整用パターンを同時に読み取って得られた読み取りデータに基づいて、前記表裏調整を行う第１の表裏調整手段、前記画像形成手段に２枚の用紙のうち少なくとも１枚目の用紙の第１面及び２枚目の用紙の第２面に調整用パターンを形成させ、前記画像読み取り手段により前記１枚目の用紙の第１面側から当該第１面に形成された調整用パターンを読み取って得られた読み取りデータ、及び、前記画像読み取り手段により前記２枚目の用紙の第２面側から当該第２面に形成された調整用パターンを読み取って得られた読み取りデータに基づいて、前記表裏調整を行う第２の表裏調整手段、前記表裏調整の対象となる用紙の種類、又は、前記画像読み取り手段により用紙を読み取った時の状態に応じて、前記第１の表裏調整手段と前記第２の表裏調整手段とを切り替える制御手段、として機能させるためのプログラムである。
【発明の効果】
【００２２】
本発明によれば、実際に使用する用紙を用いて表裏の画像を調整する際に、調整時間の短縮を図ることができる。
【図面の簡単な説明】
【００２３】
【図１】第１の実施の形態における画像形成装置の概略構成図である。
【図２】画像形成装置の機能的構成を示すブロック図である。
【図３】（ａ）は、表面の調整用パターンの例である。（ｂ）は、裏面の調整用パターンの例である。
【図４】表面側から読み取った読み取りデータに含まれる表面の調整用パターン及び裏面の調整用パターンの例である。
【図５】第１の表裏調整処理と第２の表裏調整処理の概要を示す図である。
【図６】第１の表裏調整処理及び第２の表裏調整処理における画像の向きの関係を示す図である。
【図７】第１の実施の形態の画像形成装置において実行される表裏調整モードＡ処理を示すフローチャートである。
【図８】裏写り表裏調整処理を示すフローチャートである。
【図９】２枚１組表裏調整処理を示すフローチャートである。
【図１０】第２の実施の形態の画像形成装置において実行される表裏調整モードＢ処理を示すフローチャートである。
【図１１】第３の実施の形態の画像形成装置において実行される表裏調整モード選択処理を示すフローチャートである。
【図１２】第４の実施の形態の画像形成装置において実行される用紙種類に基づく表裏調整処理を示すフローチャートである。
【図１３】（ａ）は、第１の表裏調整処理に適した表面の調整用パターンの例である。（ｂ）は、第１の表裏調整処理に適した裏面の調整用パターンの例である。
【図１４】（ａ）は、第１の表裏調整処理に適した表面の調整用パターンの他の例である。（ｂ）は、第１の表裏調整処理に適した裏面の調整用パターンの他の例である。
【図１５】（ａ）は、第１の表裏調整処理に適した表面の調整用パターンの他の例である。（ｂ）は、第１の表裏調整処理に適した裏面の調整用パターンの他の例である。
【発明を実施するための形態】
【００２４】
［第１の実施の形態］
まず、本発明に係る画像形成装置の第１の実施の形態について説明する。なお、本発明は、図示例に限定されるものではない。
【００２５】
図１は、第１の実施の形態における画像形成装置１００の概略構成図である。
画像形成装置１００は、操作部２０、表示部３０、画像形成部４０、画像読み取り部５０、両面搬送経路８１、用紙反転部８２、用紙反転部８３、給紙トレイＴ１、排紙トレイＴ２等を備える。
【００２６】
操作部２０は、表示部３０の表示画面上を覆うように形成されたタッチパネルや、数字ボタン、スタートボタン等の各種操作ボタンを備え、ユーザーの操作に基づく操作信号を制御部１０（図２参照）に出力する。
【００２７】
表示部３０は、ＬＣＤ（Liquid Crystal Display）により構成され、制御部１０から入力される表示信号の指示に従って各種画面を表示する。
【００２８】
画像形成部４０は、画像データに基づいて、用紙に対して画像を形成する。
画像形成部４０は、イエロー（Ｙ）、マゼンタ（Ｍ）、シアン（Ｃ）、ブラック（Ｋ）の各色に対応する感光体ドラム４１Ｙ，４１Ｍ，４１Ｃ，４１Ｋ、中間転写ベルト４２、二次転写ローラー４３、定着部４４等を備える。
【００２９】
感光体ドラム４１Ｙは、一様に帯電された後、イエロー色の画像データに基づいてレーザービームにより走査露光され、静電潜像が形成される。そして、感光体ドラム４１Ｙ上の静電潜像にイエロー色のトナーが付着され、現像が行われる。
感光体ドラム４１Ｍ，４１Ｃ，４１Ｋについても、扱う色が異なることを除いて、感光体ドラム４１Ｙと同様であるため、説明を省略する。
【００３０】
感光体ドラム４１Ｙ，４１Ｍ，４１Ｃ，４１Ｋ上に形成された各色のトナー像は、回転する中間転写ベルト４２上に逐次転写される（一次転写）。すなわち、中間転写ベルト４２上には、４色のトナー像が重ね合わされたカラートナー像が形成される。
中間転写ベルト４２上のカラートナー像は、二次転写ローラー４３により、用紙上に一括して転写される（二次転写）。
【００３１】
定着部４４は、カラートナー像が転写された用紙を加熱する加熱ローラー、当該用紙を加圧する加圧ローラーを備え、加熱・加圧によりカラートナー像を用紙に定着させる。
【００３２】
画像読み取り部５０は、複数の受光素子が用紙搬送方向と直交する方向に所定の間隔で配置されたラインセンサーから構成され、用紙上に形成された調整用パターンを読み取り、読み取りデータ（画像データ）を制御部１０に出力する。各受光素子は、光源から射出され用紙の表面で反射した光の強度に応じた信号を出力する。ラインセンサーとしては、例えば、ＣＣＤ（Charge Coupled Device）センサーやＣＭＯＳ（Complementary Metal Oxide Semiconductor）センサーが用いられる。
【００３３】
両面搬送経路８１は、用紙の両面に画像を形成する場合に、用紙の表裏を反転させ、用紙を再度画像形成部４０に供給するための搬送経路である。
【００３４】
用紙反転部８２は、画像形成部４０から画像読み取り部５０に用紙が搬送される途中で、用紙の表裏を反転させることができる。両面画像形成時において、画像読み取り部５０により用紙の表面（先に画像形成された面）側から画像を読み取る場合には、用紙反転部８２で用紙は反転されずに搬送される。一方、両面画像形成時において、画像読み取り部５０により用紙の裏面（後から画像形成された面）側から画像を読み取る場合には、用紙反転部８２で用紙が反転される。
【００３５】
用紙反転部８３は、画像読み取り部５０から排紙トレイＴ２に用紙が搬送される途中で、用紙の表裏を反転させることができる。
【００３６】
給紙トレイＴ１には、予め定められた紙種やサイズの用紙が収容されている。給紙トレイＴ１に収容された用紙は、１枚ずつ画像形成部４０に供給される。
排紙トレイＴ２には、画像形成後の用紙が排出される。
【００３７】
図２は、画像形成装置１００の機能的構成を示すブロック図である。
図２に示すように、画像形成装置１００は、制御部１０、操作部２０、表示部３０、画像形成部４０、画像読み取り部５０、記憶部６０、通信部７０、搬送部８０等を備える。なお、既に説明した機能部については、説明を省略する。
【００３８】
制御部１０は、ＣＰＵ（Central Processing Unit）、ＲＯＭ（Read Only Memory）、ＲＡＭ（Random Access Memory）等により構成される。ＣＰＵは、操作部２０から入力される操作信号又は通信部７０により受信される指示信号に応じて、ＲＯＭに記憶されている各種処理プログラムを読み出してＲＡＭに展開し、展開されたプログラムに従って、画像形成装置１００の各部の動作を集中制御する。
【００３９】
記憶部６０は、ハードディスクやフラッシュメモリー等により構成され、各種データを記憶する。記憶部６０には、給紙トレイＴ１に収容されている用紙に関する用紙情報が記憶されている。用紙情報には、用紙の坪量、紙種等が含まれる。画像形成装置１００が複数の給紙トレイを備えている場合には、給紙トレイ毎に、用紙情報が記憶されている。
【００４０】
通信部７０は、ＬＡＮ（Local Area Network）等の通信ネットワークに接続された外部装置との間でデータの送受信を行う。
【００４１】
搬送部８０は、用紙を搬送するための搬送ローラーを備え、画像形成装置１００内において用紙を搬送する。
【００４２】
制御部１０は、画像形成部４０を制御して、表裏調整に用いる調整用パターンを用紙に形成させる。
図３（ａ）及び（ｂ）に、表面の調整用パターンＰ１１〜Ｐ１４及び裏面の調整用パターンＱ１１〜Ｑ１４の例を示す。調整用パターンＰ１１〜Ｐ１４及び調整用パターンＱ１１〜Ｑ１４として、用紙の四隅にトンボ（十字）が形成されている。
【００４３】
制御部１０は、画像読み取り部５０により調整用パターン等の調整用画像を読み取って得られた読み取りデータに基づいて、画像位置、画像濃度、色ずれ等の補正量（調整値）を算出し、その後の用紙に対する画像形成にフィードバックする。
【００４４】
制御部１０は、用紙の両面に形成される画像の位置又は倍率を調整する表裏調整を行う。具体的には、制御部１０は、図３（ａ）及び（ｂ）に示す用紙の表面に形成された調整用パターンＰ１１と用紙の裏面に形成された調整用パターンＱ１１の組、用紙の表面に形成された調整用パターンＰ１２と用紙の裏面に形成された調整用パターンＱ１２の組、用紙の表面に形成された調整用パターンＰ１３と用紙の裏面に形成された調整用パターンＱ１３の組、用紙の表面に形成された調整用パターンＰ１４と用紙の裏面に形成された調整用パターンＱ１４の組の各組における表裏の調整用パターンのずれ量に基づいて、表面及び裏面に形成される画像に対するシフト量や変倍率を算出し、表面及び裏面に形成される画像の位置や倍率を調整する。
【００４５】
制御部１０は、画像形成部４０に用紙の両面に調整用パターンを形成させ、画像読み取り部５０により用紙の第１面としての表面側から当該表面に形成された調整用パターン、及び、裏写りする第２面としての裏面に形成された調整用パターンを同時に読み取って得られた読み取りデータに基づいて、表裏調整を行う（以下、「第１の表裏調整処理」という。）。すなわち、制御部１０は、第１の表裏調整手段として機能する。
【００４６】
図４に、表面側から読み取った読み取りデータに含まれる表面の調整用パターンＰ１１及び裏面の調整用パターンＱ１１の例を示す。裏面の調整用パターンＱ１１は、裏写りしたものであるため、表面の調整用パターンＰ１１より濃度が薄い。制御部１０は、表面の調整用パターンＰ１１と裏面の調整用パターンＱ１１との濃度差により、両者を識別する。制御部１０は、表面の調整用パターンＰ１１と裏面の調整用パターンＱ１１との用紙搬送方向におけるずれ量ΔＹと、表面の調整用パターンＰ１１と裏面の調整用パターンＱ１１との用紙搬送方向と直交する方向におけるずれ量ΔＸと、に基づいて、表面及び裏面に形成される画像の位置及び倍率を調整する。
【００４７】
制御部１０は、画像形成部４０に２枚の用紙のうち少なくとも１枚目の用紙の第１面としての表面及び２枚目の用紙の第２面としての裏面に調整用パターンを形成させ、画像読み取り部５０により１枚目の用紙の表面側から当該表面に形成された調整用パターンを読み取って得られた読み取りデータ、及び、画像読み取り部５０により２枚目の用紙の裏面側から当該裏面に形成された調整用パターンを読み取って得られた読み取りデータに基づいて、表裏調整を行う（以下、「第２の表裏調整処理」という。）。すなわち、制御部１０は、第２の表裏調整手段として機能する。
【００４８】
第２の表裏調整処理では、制御部１０は、１枚目の用紙の表面の読み取りデータ及び２枚目の用紙の裏面の読み取りデータにおいて、調整用パターンの用紙端部からの距離を検出し、表裏のずれを求め、表裏調整を行う。
【００４９】
図５に、第１の表裏調整処理と第２の表裏調整処理の概要を示す。第１の表裏調整処理では、１枚目の表面に形成された調整用パターンと、１枚目の裏面に形成された調整用パターンと、を比較して、表裏調整を行う。第２の表裏調整処理では、１枚目の表面に形成された調整用パターンと、２枚目の裏面に形成された調整用パターンと、を比較して、表裏調整を行う。２枚目の表面については、表裏調整に用いないので、調整用パターンを形成する必要はない。
【００５０】
制御部１０は、画像読み取り部５０により用紙を読み取った時の状態に応じて、第１の表裏調整処理と第２の表裏調整処理とを切り替える。
【００５１】
制御部１０は、画像読み取り部５０により用紙の表面側から裏写りする裏面に形成された調整用パターンを読み取ることができなかった場合に、第２の表裏調整処理に切り替える。
【００５２】
制御部１０は、第２の表裏調整処理において、画像形成部４０による２枚目の用紙の表面に対する調整用パターンの形成を省略させる。
【００５３】
制御部１０は、第２の表裏調整処理において、１枚目の用紙及び２枚目の用紙について、第１の表裏調整処理における用紙と同じ条件で搬送経路を搬送させる。例えば、制御部１０は、１枚目の用紙及び２枚目の用紙が定着部４４や両面搬送経路８１等を通過する条件が、通常の両面画像形成時と同じになるようにする。
【００５４】
第２の表裏調整処理において、画像読み取り部５０により２枚目の用紙の裏面に形成された調整用パターンを読み取る際の用紙搬送方向における画像の向きは、画像読み取り部５０により１枚目の用紙の表面に形成された調整用パターンを読み取る際の用紙搬送方向における画像の向きと反対である。
制御部１０は、第２の表裏調整処理において、１枚目の用紙の表面及び２枚目の用紙の裏面の画像の向きを考慮して表裏調整を行う。
【００５５】
図６に、第１の表裏調整処理及び第２の表裏調整処理における画像の向きの関係を示す。
第１の表裏調整処理では、画像形成部４０により用紙の裏面に調整用パターンが形成された後、画像読み取り部５０により表面側から表面の調整用パターンと裏面の調整用パターンが読み取られるため、用紙反転部８２で用紙は反転されない。すなわち、用紙搬送方向における裏面形成時の用紙の先端と、調整用パターンの読み取り時の用紙の先端と、が一致している。表面の調整用パターンと裏面の調整用パターンの用紙搬送方向における位置を合わせるためには、図６に示す１枚目表面の距離Ｃ１と１枚目裏面の距離Ｃ２、１枚目表面の距離Ｄ１と１枚目裏面の距離Ｄ２が一致するように画像を調整すればよい。
【００５６】
一方、第２の表裏調整処理では、画像形成部４０により２枚目の用紙の裏面に調整用パターンが形成された後、画像読み取り部５０により裏面側から裏面の調整用パターンが読み取られるため、２枚目の用紙の裏面を画像読み取り部５０側に向けるべく、２枚目の用紙は用紙反転部８２で反転される。すなわち、用紙搬送方向における裏面形成時の用紙の先端と、調整用パターンの読み取り時の用紙の先端と、が逆になる。表面の調整用パターンと裏面の調整用パターンの用紙搬送方向における位置を合わせるためには、図６に示す１枚目表面の距離Ｃ１と２枚目裏面の距離Ｃ３、１枚目表面の距離Ｄ１と２枚目裏面の距離Ｄ３が一致するように画像を調整すればよい。
【００５７】
制御部１０は、表裏調整を行う際に、画像形成部４０に用紙に実画像を形成させる場合には、第２の表裏調整処理において、２枚目の用紙の表面及び裏面に形成される実画像の順序を変更する。実画像は、調整用パターンとは異なり、画像形成装置１００において本来形成対象とされる画像である。
【００５８】
通常、フェイスダウン排紙が一般的であるため、用紙の表面が排紙トレイＴ２と対向するように、排紙トレイＴ２に排出される。
第２の表裏調整処理における１枚目の用紙は、用紙反転部８２においても、用紙反転部８３においても、反転させる必要がないため、実画像の形成順序は、出力したい順序通りでよい。
一方、第２の表裏調整処理における２枚目の用紙については、裏面の画像形成後、画像読み取り部５０により裏面を読み取るために用紙反転部８２で用紙を反転させるので、従来は、排紙時の実画像のページ順（ページ表裏）が揃うように、用紙反転部８３においても２枚目の用紙を反転させる必要があった。
そこで、本実施の形態では、２枚目の用紙の表面及び裏面に形成される実画像の順序を予め逆にしておく。例えば、制御部１０は、１枚目の用紙の表面に１ページ目の実画像を形成させ、１枚目の用紙の裏面に２ページ目の実画像を形成させ、２枚目の用紙の表面に４ページ目の実画像を形成させ、２枚目の用紙の裏面に３ページ目の実画像を形成させる。
【００５９】
次に、画像形成装置１００における動作について説明する。
図７は、画像形成装置１００において実行される表裏調整モードＡ処理を示すフローチャートである。この処理は、制御部１０のＣＰＵとＲＯＭに記憶されているプログラムとの協働によるソフトウェア処理によって実現される。
【００６０】
まず、制御部１０は、搬送部８０を制御して、給紙トレイＴ１に収容されている用紙のうち１枚目の用紙を給紙させる（ステップＳ１）。
【００６１】
次に、制御部１０は、画像形成部４０を制御して、１枚目の用紙の両面に調整用パターンを形成させる（ステップＳ２）。具体的には、制御部１０は、画像形成部４０に、給紙トレイＴ１から供給された１枚目の用紙の表面に調整用パターンを形成させ、搬送部８０を制御して、両面搬送経路８１によって用紙を反転させ、再度画像形成部４０に供給させる。その後、制御部１０は、画像形成部４０に、１枚目の用紙の裏面に調整用パターンを形成させる。
【００６２】
次に、制御部１０は、１枚目の用紙の表面側から裏面に形成された調整用パターンの検出を試みる（ステップＳ３）。具体的には、制御部１０は、画像読み取り部５０により１枚目の用紙の表面側から画像を読み取り、得られた読み取りデータから裏面の調整用パターンを検出することができるか否かを判断する。例えば、制御部１０は、読み取りデータから調整用パターンを抽出し、表面の調整用パターンであると考えられる調整用パターンより濃度が薄い調整用パターンを検出することができた場合に、裏面の調整用パターンであると判断する。
【００６３】
ここで、裏写りする場合（ステップＳ４；ＹＥＳ）、すなわち、１枚目の用紙の表面側から裏面の調整用パターンを検出可能である場合には、制御部１０は、裏写り表裏調整処理を行う（ステップＳ５）。
【００６４】
ここで、図８を参照して、裏写り表裏調整処理について説明する。
制御部１０は、画像読み取り部５０により１枚目の用紙の表面側から当該表面に形成された調整用パターン、及び、裏写りする裏面に形成された調整用パターンを同時に読み取り、得られた読み取りデータから１枚目の用紙の表面の調整用パターン及び裏面の調整用パターンを検出する（ステップＳ１１，Ｓ１２）。
なお、ステップＳ３において、１枚目の用紙の表面の調整用パターン及び裏面の調整用パターンが既に検出されている場合には、ステップＳ１１，Ｓ１２の処理は不要である。
【００６５】
次に、制御部１０は、１枚目の用紙から検出された表面の調整用パターン及び裏面の調整用パターンに基づいて、表裏ずれを検出する（ステップＳ１３）。
次に、制御部１０は、検出された表裏ずれに基づいて、表裏ずれを解消するような表裏調整値を算出する（ステップＳ１４）。表裏調整値には、表面及び裏面の画像の位置や倍率を調整するためのパラメーターが含まれる。
次に、制御部１０は、算出された表裏調整値を記憶部６０に記憶させ、今後の両面画像形成時に使用する値としてセットする（ステップＳ１５）。
以上で、裏写り表裏調整処理が終了する。
【００６６】
ステップＳ４において、裏写りしない場合（ステップＳ４；ＮＯ）、すなわち、１枚目の用紙の表面側から裏面の調整用パターンを検出可能でない場合には、制御部１０は、搬送部８０を制御して、給紙トレイＴ１から２枚目の用紙を給紙させる（ステップＳ６）。
【００６７】
次に、制御部１０は、画像形成部４０を制御して、２枚目の用紙の裏面に調整用パターンを形成させる（ステップＳ７）。具体的には、制御部１０は、画像形成部４０に、給紙トレイＴ１から供給された２枚目の用紙の表面に調整用パターンを形成させることなく、搬送部８０を制御して、用紙が定着部４４を通過した後、両面搬送経路８１によって用紙を反転させ、再度画像形成部４０に供給させる。その後、制御部１０は、画像形成部４０に、２枚目の用紙の裏面に調整用パターンを形成させる。
次に、制御部１０は、２枚１組表裏調整処理を行う（ステップＳ８）。
【００６８】
ここで、図９を参照して、２枚１組表裏調整処理について説明する。
制御部１０は、画像読み取り部５０により１枚目の用紙の表面側から当該表面に形成された調整用パターンを読み取り、得られた読み取りデータから１枚目の用紙の表面の調整用パターンを検出する（ステップＳ２１）。
なお、ステップＳ３において、１枚目の用紙の表面の調整用パターンが既に検出されている場合には、ステップＳ２１の処理は不要である。
【００６９】
次に、制御部１０は、画像読み取り部５０により２枚目の用紙の裏面側から当該裏面に形成された調整用パターンを読み取り、得られた読み取りデータから２枚目の用紙の裏面の調整用パターンを検出する（ステップＳ２２）。２枚目の用紙については、画像読み取り部５０で裏面側から裏面に形成された調整用パターンを読み取るために、用紙反転部８２で用紙を反転させておく。
【００７０】
次に、制御部１０は、１枚目の用紙から検出された表面の調整用パターン及び２枚目の用紙から検出された裏面の調整用パターンに基づいて、表裏ずれを検出する（ステップＳ２３）。
次に、制御部１０は、検出された表裏ずれに基づいて、表裏ずれを解消するような表裏調整値を算出する（ステップＳ２４）。表裏調整値には、表面及び裏面の画像の位置や倍率を調整するためのパラメーターが含まれる。
次に、制御部１０は、算出された表裏調整値を記憶部６０に記憶させ、今後の両面画像形成時に使用する値としてセットする（ステップＳ２５）。
以上で、２枚１組表裏調整処理が終了する。
【００７１】
ステップＳ５又はステップＳ８の後、表裏調整モードＡ処理が終了する。
表裏調整モードＡ処理において、ステップＳ１、ステップＳ２、ステップＳ５が第１の表裏調整処理に相当する。裏写り表裏調整処理は、第１の表裏調整処理のうち、調整用パターンの読み取り以降の処理である。
また、表裏調整モードＡ処理において、ステップＳ１、ステップＳ２、ステップＳ６〜ステップＳ８が第２の表裏調整処理に相当する。２枚１組表裏調整処理は、第２の表裏調整処理のうち、調整用パターンの読み取り以降の処理である。
表裏調整モードＡ処理では、第１の表裏調整処理と第２の表裏調整処理との間で、ステップＳ１及びステップＳ２が共通の処理となっている。
【００７２】
以上説明したように、第１の実施の形態によれば、表裏調整の対象となる用紙が裏写りする場合には、２枚目の用紙に対する調整用パターンの形成及び読み取りを行わないので、調整時間を短縮することができるとともに、ムダ紙が発生しない。したがって、実際に使用する用紙を用いて表裏の画像を調整する際に、調整時間の短縮を図ることができる。
一方、表裏調整の対象となる用紙が裏写りしない場合には、それから２枚目の用紙を給紙して調整用パターンを形成し、２枚１組表裏調整処理を行うので、必要な場合にのみ、２枚目の用紙に対する調整用パターンの形成及び読み取りを行うことができる。
【００７３】
また、第２の表裏調整処理では、２枚目の用紙の表面に対する調整用パターンの形成を省略するので、必要のない画像形成を控え、トナーを節約することができる。
【００７４】
また、第２の表裏調整処理において、１枚目の用紙及び２枚目の用紙について、第１の表裏調整処理における用紙と同じ条件で搬送経路を搬送させることで、用紙に対する条件を合わせ、表裏調整の精度を上げることができる。２枚目の用紙の表面には調整用パターンを形成しなくてもよいが、表面と裏面の２回分、定着部４４に対して用紙を通過させることにより、用紙の収縮率を同じにする。また、２枚目の用紙についても両面搬送経路８１を通過させることにより、両面に画像形成した場合と用紙搬送ずれを同じにする。
【００７５】
また、第２の表裏調整処理において、予め２枚目の用紙の表面及び裏面に形成する実画像の順序を変更しておくことにより、２枚目の用紙を用紙反転部８３で反転させることが不要となる。
【００７６】
［第２の実施の形態］
次に、本発明を適用した第２の実施の形態について説明する。
第２の実施の形態における画像形成装置は、第１の実施の形態に示した画像形成装置１００と同様の構成によってなるため、図１及び図２を援用し、その構成については図示及び説明を省略する。以下、第２の実施の形態に特徴的な構成及び処理について説明する。
【００７７】
制御部１０は、画像読み取り部５０により用紙を読み取った時の状態に応じて、第１の表裏調整処理と第２の表裏調整処理とを切り替える。
【００７８】
第１の実施の形態では、１枚目の用紙が裏写りしないことを確認した後に、２枚目の用紙を給紙し、２枚目の用紙に対する調整用パターンの形成及び読み取りを行う場合について説明したが、第２の実施の形態では、裏写りするか否かを判断する前に、予め２枚目の用紙を給紙し、２枚目の用紙に対する調整用パターンの形成を行う。
【００７９】
図１０は、第２の実施の形態の画像形成装置において実行される表裏調整モードＢ処理を示すフローチャートである。この処理は、制御部１０のＣＰＵとＲＯＭに記憶されているプログラムとの協働によるソフトウェア処理によって実現される。
【００８０】
まず、制御部１０は、搬送部８０を制御して、給紙トレイＴ１に収容されている用紙のうち１枚目の用紙を給紙させる（ステップＳ３１）。
次に、制御部１０は、搬送部８０を制御して、給紙トレイＴ１から２枚目の用紙を給紙させる（ステップＳ３２）。
【００８１】
次に、制御部１０は、画像形成部４０を制御して、１枚目の用紙の両面に調整用パターンを形成させる（ステップＳ３３）。具体的には、制御部１０は、画像形成部４０に、給紙トレイＴ１から供給された１枚目の用紙の表面に調整用パターンを形成させ、搬送部８０を制御して、両面搬送経路８１によって用紙を反転させ、再度画像形成部４０に供給させる。その後、制御部１０は、画像形成部４０に、１枚目の用紙の裏面に調整用パターンを形成させる。
【００８２】
次に、制御部１０は、画像形成部４０を制御して、２枚目の用紙の裏面に調整用パターンを形成させる（ステップＳ３４）。具体的には、制御部１０は、画像形成部４０に、給紙トレイＴ１から供給された２枚目の用紙の表面に調整用パターンを形成させることなく、搬送部８０を制御して、用紙が定着部４４を通過した後、両面搬送経路８１によって用紙を反転させ、再度画像形成部４０に供給させる。その後、制御部１０は、画像形成部４０に、２枚目の用紙の裏面に調整用パターンを形成させる。
【００８３】
次に、制御部１０は、１枚目の用紙の表面側から裏面に形成された調整用パターンの検出を試みる（ステップＳ３５）。具体的には、制御部１０は、画像読み取り部５０により１枚目の用紙の表面側から画像を読み取り、得られた読み取りデータから裏面の調整用パターンを検出することができるか否かを判断する。
【００８４】
ここで、裏写りする場合（ステップＳ３６；ＹＥＳ）、すなわち、１枚目の用紙の表面側から裏面の調整用パターンを検出可能である場合には、制御部１０は、裏写り表裏調整処理（図８参照）を行う（ステップＳ３７）。裏写り表裏調整処理については、第１の実施の形態において説明したので、説明を省略する。
【００８５】
ステップＳ３６において、裏写りしない場合（ステップＳ３６；ＮＯ）、すなわち、１枚目の用紙の表面側から裏面の調整用パターンを検出可能でない場合には、制御部１０は、２枚１組表裏調整処理（図９参照）を行う（ステップＳ３８）。２枚１組表裏調整処理については、第１の実施の形態において説明したので、説明を省略する。
【００８６】
ステップＳ３７又はステップＳ３８の後、表裏調整モードＢ処理が終了する。
表裏調整モードＢ処理において、ステップＳ３１、ステップＳ３３、ステップＳ３７が第１の表裏調整処理に相当する。
また、表裏調整モードＢ処理において、ステップＳ３１〜ステップＳ３４、ステップＳ３８が第２の表裏調整処理に相当する。
表裏調整モードＢ処理では、第１の表裏調整処理と第２の表裏調整処理との間で、ステップＳ３１及びステップＳ３３が共通の処理となっている。
【００８７】
以上説明したように、第２の実施の形態によれば、予め２枚の用紙を給紙して調整用パターンを形成しておくので、表裏調整の対象となる用紙が裏写りしない場合には、直ぐに２枚１組表裏調整処理を行うことができる。したがって、実際に使用する用紙を用いて表裏の画像を調整する際に、調整時間の短縮を図ることができる。
一方、表裏調整の対象となる用紙が裏写りする場合には、２枚目の用紙は使用しないため、ムダ紙が発生するが、同一の用紙（１枚目の用紙）から表面及び裏面の調整用パターンを読み取るので、より実際の使用状態に近い条件で表裏の画像を調整することができる。
【００８８】
［第３の実施の形態］
次に、本発明を適用した第３の実施の形態について説明する。
第３の実施の形態における画像形成装置は、第１の実施の形態に示した画像形成装置１００と同様の構成によってなるため、図１及び図２を援用し、その構成については図示及び説明を省略する。以下、第３の実施の形態に特徴的な構成及び処理について説明する。
【００８９】
制御部１０は、表裏調整の対象となる用紙の種類、及び、画像読み取り部５０により用紙を読み取った時の状態に応じて、第１の表裏調整処理と第２の表裏調整処理とを切り替える。
【００９０】
制御部１０は、表裏調整の対象となる用紙の坪量が予め定められた閾値以上である場合に、第２の実施の形態に示した表裏調整モードＢ処理（図１０参照）を選択する。一般的に、紙種（ここでは、薄紙・普通紙・厚紙）と坪量の関係として、薄紙は〜約６０ｇ／ｍ２、普通紙は約６０ｇ／ｍ２〜約１００ｇ／ｍ２、厚紙は約１００ｇ／ｍ２〜等が用いられている。裏写りしないと判断するための坪量の閾値として、例えば、１００ｇ／ｍ２を用いる。
【００９１】
制御部１０は、表裏調整の対象となる用紙が予め指定された用紙（以下、「指定紙」という。）である場合に、第２の実施の形態に示した表裏調整モードＢ処理（図１０参照）を選択する。
ここで、指定紙は、裏写りしないと考えられる用紙であり、塗工紙、封筒、はがき等が挙げられる。
塗工紙は、表面に塗料を塗布した用紙である。塗工紙には、例えば、アート紙、コート紙、エンボス紙（エンボス加工が施された用紙）等が含まれる。
【００９２】
図１１は、第３の実施の形態の画像形成装置において実行される表裏調整モード選択処理を示すフローチャートである。この処理は、制御部１０のＣＰＵとＲＯＭに記憶されているプログラムとの協働によるソフトウェア処理によって実現される。
【００９３】
まず、制御部１０は、記憶部６０から給紙トレイＴ１に対応する用紙の坪量を読み出し、表裏調整の対象となる用紙の坪量が予め定められた閾値以上であるか否かを判断する（ステップＳ４１）。
【００９４】
表裏調整の対象となる用紙の坪量が閾値未満である場合には（ステップＳ４１；ＮＯ）、制御部１０は、記憶部６０から給紙トレイＴ１に対応する用紙の紙種を読み出し、表裏調整の対象となる用紙が塗工紙等の指定紙であるか否かを判断する（ステップＳ４２）。
【００９５】
表裏調整の対象となる用紙が指定紙でない場合には（ステップＳ４２；ＮＯ）、制御部１０は、表裏調整モードＡ処理（図７参照）を行う（ステップＳ４３）。表裏調整モードＡ処理については、第１の実施の形態において説明したので、説明を省略する。
【００９６】
ステップＳ４１において、表裏調整の対象となる用紙の坪量が閾値以上である場合（ステップＳ４１；ＹＥＳ）、又は、ステップＳ４２において、表裏調整の対象となる用紙が指定紙である場合には（ステップＳ４２；ＹＥＳ）、表裏調整モードＢ処理（図１０参照）を行う（ステップＳ４４）。表裏調整モードＢ処理については、第２の実施の形態において説明したので、説明を省略する。
【００９７】
ステップＳ４３又はステップＳ４４の後、表裏調整モード選択処理が終了する。
【００９８】
以上説明したように、第３の実施の形態によれば、坪量と紙種から裏写りしないと予想される場合には、２枚１組表裏調整処理を想定して表裏調整モードＢ処理を行うので、予想通り２枚１組表裏調整処理を行うことになれば、表裏調整モードＡ処理と比較して処理時間が短縮される。
一方、坪量と紙種から裏写りすると予想される場合には、裏写り表裏調整処理を想定して表裏調整モードＡ処理を行うので、予想通り裏写り表裏調整処理を行うことになれば、２枚目の用紙に対する調整用パターンの形成及び読み取りを行わずに済み、調整時間を短縮することができるとともに、表裏調整モードＢ処理と比較してムダ紙が発生しない。
したがって、実際に使用する用紙を用いて表裏の画像を調整する際に、調整時間の短縮を図ることができる。
【００９９】
［第４の実施の形態］
次に、本発明を適用した第４の実施の形態について説明する。
第４の実施の形態における画像形成装置は、第１の実施の形態に示した画像形成装置１００と同様の構成によってなるため、図１及び図２を援用し、その構成については図示及び説明を省略する。以下、第４の実施の形態に特徴的な構成及び処理について説明する。
【０１００】
制御部１０は、表裏調整の対象となる用紙の種類に応じて、第１の表裏調整処理と第２の表裏調整処理とを切り替える。
【０１０１】
制御部１０は、表裏調整の対象となる用紙の坪量が予め定められた閾値以上である場合に、第２の表裏調整処理に切り替える。坪量の閾値として、例えば、１００ｇ／ｍ２を用いる。制御部１０は、用紙の坪量が閾値以上の場合には、裏写りせず、第１の表裏調整処理を行うことができないと判断し、第２の表裏調整処理を行う。
【０１０２】
制御部１０は、表裏調整の対象となる用紙が指定紙である場合に、第２の表裏調整処理に切り替える。制御部１０は、用紙が塗工紙、封筒、はがき等の場合には、裏写りせず、第１の表裏調整処理を行うことができないと判断し、第２の表裏調整処理を行う。
【０１０３】
図１２は、第４の実施の形態の画像形成装置において実行される用紙種類に基づく表裏調整処理を示すフローチャートである。この処理は、制御部１０のＣＰＵとＲＯＭに記憶されているプログラムとの協働によるソフトウェア処理によって実現される。
【０１０４】
まず、制御部１０は、記憶部６０から給紙トレイＴ１に対応する用紙の坪量を読み出し、表裏調整の対象となる用紙の坪量が予め定められた閾値以上であるか否かを判断する（ステップＳ５１）。
【０１０５】
表裏調整の対象となる用紙の坪量が閾値未満である場合には（ステップＳ５１；ＮＯ）、制御部１０は、記憶部６０から給紙トレイＴ１に対応する用紙の紙種を読み出し、表裏調整の対象となる用紙が塗工紙等の指定紙であるか否かを判断する（ステップＳ５２）。
【０１０６】
表裏調整の対象となる用紙が指定紙でない場合には（ステップＳ５２；ＮＯ）、制御部１０は、搬送部８０を制御して、給紙トレイＴ１に収容されている用紙のうち１枚目の用紙を給紙させる（ステップＳ５３）。
【０１０７】
次に、制御部１０は、画像形成部４０を制御して、１枚目の用紙の両面に調整用パターンを形成させる（ステップＳ５４）。具体的には、制御部１０は、画像形成部４０に、給紙トレイＴ１から供給された１枚目の用紙の表面に調整用パターンを形成させ、搬送部８０を制御して、両面搬送経路８１によって用紙を反転させ、再度画像形成部４０に供給させる。その後、制御部１０は、画像形成部４０に、１枚目の用紙の裏面に調整用パターンを形成させる。
【０１０８】
次に、制御部１０は、裏写り表裏調整処理（図８参照）を行う（ステップＳ５５）。裏写り表裏調整処理については、第１の実施の形態において説明したので、説明を省略する。
【０１０９】
ステップＳ５１において、表裏調整の対象となる用紙の坪量が閾値以上である場合（ステップＳ５１；ＹＥＳ）、又は、ステップＳ５２において、表裏調整の対象となる用紙が指定紙である場合には（ステップＳ５２；ＹＥＳ）、制御部１０は、搬送部８０を制御して、給紙トレイＴ１に収容されている用紙のうち１枚目の用紙を給紙させる（ステップＳ５６）。
次に、制御部１０は、搬送部８０を制御して、給紙トレイＴ１から２枚目の用紙を給紙させる（ステップＳ５７）。
【０１１０】
次に、制御部１０は、画像形成部４０を制御して、１枚目の用紙の表面に調整用パターンを形成させる（ステップＳ５８）。具体的には、制御部１０は、画像形成部４０に、給紙トレイＴ１から供給された１枚目の用紙の表面に調整用パターンを形成させ、搬送部８０を制御して、両面搬送経路８１によって用紙を反転させ、再度画像形成部４０に供給させる。その後、制御部１０は、画像形成部４０に、１枚目の用紙の裏面に調整用パターンを形成させることなく、搬送部８０を制御して、用紙を搬送させ、定着部４４を通過させる。
【０１１１】
次に、制御部１０は、画像形成部４０を制御して、２枚目の用紙の裏面に調整用パターンを形成させる（ステップＳ５９）。具体的には、制御部１０は、画像形成部４０に、給紙トレイＴ１から供給された２枚目の用紙の表面に調整用パターンを形成させることなく、搬送部８０を制御して、用紙が定着部４４を通過した後、両面搬送経路８１によって用紙を反転させ、再度画像形成部４０に供給させる。その後、制御部１０は、画像形成部４０に、２枚目の用紙の裏面に調整用パターンを形成させる。
【０１１２】
次に、制御部１０は、２枚１組表裏調整処理（図９参照）を行う（ステップＳ６０）。２枚１組表裏調整処理については、第１の実施の形態において説明したので、説明を省略する。
【０１１３】
ステップＳ５５又はステップＳ６０の後、用紙種類に基づく表裏調整処理が終了する。
用紙種類に基づく表裏調整処理において、ステップＳ５３〜ステップＳ５５が第１の表裏調整処理に相当する。
また、用紙種類に基づく表裏調整処理において、ステップＳ５６〜ステップＳ６０が第２の表裏調整処理に相当する。
【０１１４】
以上説明したように、第４の実施の形態によれば、坪量と紙種から裏写りしないと予想される場合には、第２の表裏調整処理を行うので、裏写りしないと判断してから２枚目の用紙に対する調整用パターンの形成及び読み取りを行う場合と比較して処理時間が短縮される。
一方、坪量と紙種から裏写りすると予想される場合には、第１の表裏調整処理を行うので、２枚目の用紙に対する調整用パターンの形成及び読み取りを行わずに済み、調整時間を短縮することができるとともに、第２の表裏調整処理と比較してムダ紙が発生しない。
したがって、実際に使用する用紙を用いて表裏の画像を調整する際に、調整時間の短縮を図ることができる。
【０１１５】
また、ステップＳ５１又はステップＳ５２の判断により、第２の表裏調整処理を行うことが決まった場合には、ステップＳ５８において、１枚目の表面にのみ調整用パターンを形成すればよく、１枚目の裏面に対する調整用パターンの形成は不要である。また、ステップＳ５９では、２枚目の裏面にのみ調整用パターンを形成すればよく、２枚目の表面に対する調整用パターンの形成は不要である。ただし、ステップＳ５８、ステップＳ５９における１枚目と２枚目の用紙の搬送経路を、ステップＳ５４における用紙の搬送経路（通常の両面画像形成時の搬送経路）と同じにすることで、用紙に対する条件を合わせ、表裏調整の精度を上げることができる。
【０１１６】
なお、上記各実施の形態における記述は、本発明に係る画像形成装置の例であり、これに限定されるものではない。装置を構成する各部の細部構成及び細部動作に関しても本発明の趣旨を逸脱することのない範囲で適宜変更可能である。また、各実施の形態において特徴的な処理を組み合わせて行うこととしてもよい。
【０１１７】
例えば、表裏調整に用いる調整用パターンは、図３（ａ）及び（ｂ）に示した例に限定されるものではない。
図１３（ａ）及び（ｂ）に、第１の表裏調整処理に適した表面の調整用パターンＰ２１〜Ｐ２４及び裏面の調整用パターンＱ２１〜Ｑ２４の例を示す。裏面の調整用パターンＱ２１〜Ｑ２４は、表面の調整用パターンＰ２１〜Ｐ２４の色（例えば、黒色）とは異なる色（例えば、赤色）で形成されている。表面側から読み取った読み取りデータに含まれる表面の調整用パターンＰ２１〜Ｐ２４と、裏面の調整用パターンＱ２１〜Ｑ２４と、の色の違いによって、両者を識別することができる。
【０１１８】
また、図１４（ａ）及び（ｂ）に、第１の表裏調整処理に適した表面の調整用パターンＰ３１〜Ｐ３４及び裏面の調整用パターンＱ３１〜Ｑ３４の他の例を示す。用紙の裏面には、調整用パターンＱ３１〜Ｑ３４の他に、裏面であることを示す識別マークＭ１が形成されている。表面側から読み取った読み取りデータに含まれる識別マークＭ１の濃度に基づいて、裏面の調整用パターンＱ３１〜Ｑ３４の濃度を推定し、表面の調整用パターンＰ３１〜Ｐ３４と、裏面の調整用パターンＱ３１〜Ｑ３４と、の濃度の違いによって、両者を識別することができる。
【０１１９】
また、図１５（ａ）及び（ｂ）に、第１の表裏調整処理に適した表面の調整用パターンＰ４１〜Ｐ４４及び裏面の調整用パターンＱ４１〜Ｑ４４の他の例を示す。図１５（ａ）及び（ｂ）では、表裏の一方の面側から見た他方の面に形成されている（裏写りしている）調整用パターンをグレーで示している。裏面の調整用パターンＱ４１〜Ｑ４４の位置は、表面の調整用パターンＰ４１〜Ｐ４４の位置と、あえてずらしてある（調整用パターンのオフセット）。この位置の違いによって、表面の調整用パターンＰ４１〜Ｐ４４と裏面の調整用パターンＱ４１〜Ｑ４４とを識別することができる。表裏の調整用パターンの位置を比較する際には、元々の表裏の調整用パターンのオフセット量を考慮して、表裏調整を行う。
【０１２０】
また、上記各実施の形態では、用紙の表面（両面画像形成時において先に画像形成される面）を第１面とし、用紙の裏面（両面画像形成時において後から画像形成される面）を第２面として説明したが、用紙の裏面を第１面とし、用紙の表面を第２面としてもよい。この場合、第１の表裏調整処理において、裏面側から裏面に形成された調整用パターン、及び、裏写りする表面に形成された調整用パターンを同時に読み取る際に、用紙反転部８２で用紙を反転させなくても、画像読み取り部５０の読み取り面が用紙の裏面と対向するように、図１に示す画像読み取り部５０の位置と用紙搬送経路を挟んで反対側に、画像読み取り部５０を設置することが望ましい。
【０１２１】
以上の説明では、各処理を実行するためのプログラムを格納したコンピューター読み取り可能な媒体としてＲＯＭを使用した例を開示したが、この例に限定されない。その他のコンピューター読み取り可能な媒体として、フラッシュメモリー等の不揮発性メモリー、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１２２】
１０  制御部
４０  画像形成部
４４  定着部
５０  画像読み取り部
６０  記憶部
８０  搬送部
８１  両面搬送経路
８２  用紙反転部
８３  用紙反転部
１００  画像形成装置
【図１】
0006409594.tif 000002
【図２】
0006409594.tif 000003
【図３】
0006409594.tif 000004
【図４】
0006409594.tif 000005
【図５】
0006409594.tif 000006
【図６】
0006409594.tif 000007
【図７】
0006409594.tif 000008
【図８】
0006409594.tif 000009
【図９】
0006409594.tif 000010
【図１０】
0006409594.tif 000011
【図１１】
0006409594.tif 000012
【図１２】
0006409594.tif 000013
【図１３】
0006409594.tif 000014
【図１４】
0006409594.tif 000015
【図１５】
0006409594.tif 000016